(57)【特許請求の範囲】
【請求項１】
制御部を備え、データの入力ができる状態の入力項目を複数含む予め生成された第一の画面を表示させる画面制御装置であって、
前記制御部は、
前記第一の画面に含まれている前記入力項目の数を計算する計算手段と、
前記計算手段で計算された前記数が、画面に含まれる入力項目が多い場合に生じるレスポンスの遅れが生じないと想定される入力項目の数に相当する所定値より多い場合には、前記入力項目をデータの入力が出来ない状態に切り替えると共に、前記入力項目へのデータの入力を選択させるための入力選択領域を前記第一の画面に設ける加工手段と、
前記加工手段で加工された後の前記第一の画面を表示させる第一表示実行手段と、
表示されている前記第一の画面に設けられた前記入力選択領域が選択された場合には、前記所定値以下の数の前記入力項目にデータを入力させるための第二の画面を生成する生成手段と、
前記生成手段で生成された前記第二の画面を表示させる第二表示実行手段と、
表示されている前記第二の画面にデータが入力された場合には、当該入力されたデータを前記入力項目に転記する転記手段と、
をさらに備えたこと
を特徴とする画面制御装置。
【請求項２】
表示部を備えた情報処理装置とネットワークを介して通信可能に接続されており、
前記第一の画面および前記第二の画面は前記表示部に表示されるものであり、前記第一表示実行手段は前記第一の画面を前記情報処理装置に転送し、前記第二表示実行手段は前記第二の画面を前記情報処理装置に転送し、
前記制御部は、前記ネットワークの通信状態に応じて前記所定値を変更する変更手段をさらに備えたこと、
を特徴とする請求項１に記載の画面制御装置。
【請求項３】
前記第一の画面および前記第二の画面はＷｅｂ画面であること、
を特徴とする請求項２に記載の画面制御装置。
【請求項４】
前記第一の画面は、前記入力項目を行列形式で複数含むものであり、
前記加工手段は、前記入力選択領域を、前記入力項目の各々の行および／または列ごとに設け、
前記生成手段は、選択された前記入力選択領域に対応する前記行および／または前記列に含まれる前記入力項目にデータを入力させるための前記第二の画面を生成すること、
を特徴とする請求項１から３のいずれか１つに記載の画面制御装置。
【請求項５】
前記第一の画面は、前記入力項目の各々の行および／または列に関連するデータを表示するための表示領域を含むものであり、
前記生成手段は、前記表示領域に表示されている前記データの全部または一部が表示された状態の前記第二の画面を生成すること、
を特徴とする請求項４に記載の画面制御装置。
【請求項６】
制御部を備えた情報処理装置で実行される、データの入力ができる状態の入力項目を複数含む予め生成された第一の画面を表示させる画面制御方法であって、
前記制御部で実行される、
前記第一の画面に含まれている前記入力項目の数を計算する計算ステップと、
前記計算ステップで計算された前記数が、画面に含まれる入力項目が多い場合に生じるレスポンスの遅れが生じないと想定される入力項目の数に相当する所定値より多い場合には、前記入力項目をデータの入力が出来ない状態に切り替えると共に、前記入力項目へのデータの入力を選択させるための入力選択領域を前記第一の画面に設ける加工ステップと、
前記加工ステップで加工された後の前記第一の画面を表示させる第一表示実行ステップと、
表示されている前記第一の画面に設けられた前記入力選択領域が選択された場合には、前記所定値以下の数の前記入力項目にデータを入力させるための第二の画面を生成する生成ステップと、
前記生成ステップで生成された前記第二の画面を表示させる第二表示実行ステップと、
表示されている前記第二の画面にデータが入力された場合には、当該入力されたデータを前記入力項目に転記する転記ステップと、
を含むことを特徴とする画面制御方法。
【請求項７】
制御部を備えた情報処理装置に実行させるための、データの入力ができる状態の入力項目を複数含む予め生成された第一の画面を表示させる画面制御プログラムであって、
前記制御部に実行させるための、
前記第一の画面に含まれている前記入力項目の数を計算する計算ステップと、
前記計算ステップで計算された前記数が、画面に含まれる入力項目が多い場合に生じるレスポンスの遅れが生じないと想定される入力項目の数に相当する所定値より多い場合には、前記入力項目をデータの入力が出来ない状態に切り替えると共に、前記入力項目へのデータの入力を選択させるための入力選択領域を前記第一の画面に設ける加工ステップと、
前記加工ステップで加工された後の前記第一の画面を表示させる第一表示実行ステップと、
表示されている前記第一の画面に設けられた前記入力選択領域が選択された場合には、前記所定値以下の数の前記入力項目にデータを入力させるための第二の画面を生成する生成ステップと、
前記生成ステップで生成された前記第二の画面を表示させる第二表示実行ステップと、
表示されている前記第二の画面にデータが入力された場合には、当該入力されたデータを前記入力項目に転記する転記ステップと、
を含むことを特徴とする画面制御プログラム。
【発明の詳細な説明】
【技術分野】
【０００１】
本発明は、画面制御装置、画面制御方法および画面制御プログラムに関する。
【背景技術】
【０００２】
特許文献１には、ＷＷＷ（Ｗｏｒｌｄ  Ｗｉｄｅ  Ｗｅｂ）ブラウザの画面を表示するためのＨＴＭＬ（Ｈｙｐｅｒ  Ｔｅｘｔ  Ｍａｒｋｕｐ  Ｌａｎｇｕａｇｅ）ファイルを画面制御系とコンテンツ系に分類し、画面制御系のＨＴＭＬファイルの内容に対応してＷＷＷブラウザの画面を複数フレームに分割すると共にコンテンツ系のＨＴＭＬファイルの内容に対応した表示を行う技術が開示されている。
【先行技術文献】
【特許文献】
【０００３】
【特許文献１】特開平１０−１７１７５５号公報
【発明の概要】
【発明が解決しようとする課題】
【０００４】
しかしながら、画面に含まれる入力項目が多くなればなるほど、レスポンスが遅くなるという問題点がある。特に、処理性能の低い端末や通信性能の低い回線が使われている環境においては、レスポンスの遅れが顕著に現れる。
【０００５】
本発明は、上記に鑑みてなされたものであって、画面に含まれる入力項目が多い場合に生じるレスポンスの遅れを、操作性（使い勝手）を維持したまま防ぐことができる画面制御装置、画面制御方法および画面制御プログラムを提供することを目的とする。
【課題を解決するための手段】
【０００６】
上述した課題を解決し、目的を達成するために、本発明にかかる画面制御装置は、制御部を備え、データの入力ができる状態の入力項目を複数含む予め生成された第一の画面を表示させる画面制御装置であって、前記制御部は、前記第一の画面に含まれている前記入力項目の数を計算する計算手段と、前記計算手段で計算された前記数が所定値以上である又は当該所定値より多い場合には、前記入力項目をデータの入力が出来ない状態に切り替えると共に、前記入力項目へのデータの入力を選択させるための入力選択領域を前記第一の画面に設ける加工手段と、前記加工手段で加工された後の前記第一の画面を表示させる第一表示実行手段と、表示されている前記第一の画面に設けられた前記入力選択領域が選択された場合には、前記入力項目にデータを入力させるための第二の画面を生成する生成手段と、前記生成手段で生成された前記第二の画面を表示させる第二表示実行手段と、表示されている前記第二の画面にデータが入力された場合には、当該入力されたデータを前記入力項目に転記する転記手段と、をさらに備えたことを特徴とする。
【０００７】
また、本発明にかかる画面制御装置は、前記の画面制御装置において、表示部を備えた情報処理装置とネットワークを介して通信可能に接続されており、前記第一の画面および前記第二の画面は前記表示部に表示されるものであり、前記第一表示実行手段は前記第一の画面を前記情報処理装置に転送し、前記第二表示実行手段は前記第二の画面を前記情報処理装置に転送し、前記制御部は、前記ネットワークの通信状態に応じて前記所定値を変更する変更手段をさらに備えたこと、を特徴とする。
【０００８】
また、本発明にかかる画面制御装置は、前記の画面制御装置において、前記第一の画面および前記第二の画面はＷｅｂ画面であること、を特徴とする。
【０００９】
また、本発明にかかる画面制御装置は、前記の画面制御装置において、前記第一の画面は、前記入力項目を行列形式で複数含むものであり、前記加工手段は、前記入力選択領域を、前記入力項目の各々の行および／または列ごとに設け、前記生成手段は、選択された前記入力選択領域に対応する前記行および／または前記列に含まれる前記入力項目にデータを入力させるための前記第二の画面を生成すること、を特徴とする。
【００１０】
また、本発明にかかる画面制御装置は、前記の画面制御装置において、前記第一の画面は、前記入力項目の各々の行および／または列に関連するデータを表示するための表示領域を含むものであり、前記生成手段は、前記表示領域に表示されている前記データの全部または一部が表示された状態の前記第二の画面を生成すること、を特徴とする。
【００１１】
また、本発明にかかる画面制御方法は、制御部を備えた情報処理装置で実行される、データの入力ができる状態の入力項目を複数含む予め生成された第一の画面を表示させる画面制御方法であって、前記制御部で実行される、前記第一の画面に含まれている前記入力項目の数を計算する計算ステップと、前記計算ステップで計算された前記数が所定値以上である又は当該所定値より多い場合には、前記入力項目をデータの入力が出来ない状態に切り替えると共に、前記入力項目へのデータの入力を選択させるための入力選択領域を前記第一の画面に設ける加工ステップと、前記加工ステップで加工された後の前記第一の画面を表示させる第一表示実行ステップと、表示されている前記第一の画面に設けられた前記入力選択領域が選択された場合には、前記入力項目にデータを入力させるための第二の画面を生成する生成ステップと、前記生成ステップで生成された前記第二の画面を表示させる第二表示実行ステップと、表示されている前記第二の画面にデータが入力された場合には、当該入力されたデータを前記入力項目に転記する転記ステップと、を含むことを特徴とする。
【００１２】
また、本発明にかかる画面制御プログラムは、制御部を備えた情報処理装置に実行させるための、データの入力ができる状態の入力項目を複数含む予め生成された第一の画面を表示させる画面制御プログラムであって、前記制御部に実行させるための、前記第一の画面に含まれている前記入力項目の数を計算する計算ステップと、前記計算ステップで計算された前記数が所定値以上である又は当該所定値より多い場合には、前記入力項目をデータの入力が出来ない状態に切り替えると共に、前記入力項目へのデータの入力を選択させるための入力選択領域を前記第一の画面に設ける加工ステップと、前記加工ステップで加工された後の前記第一の画面を表示させる第一表示実行ステップと、表示されている前記第一の画面に設けられた前記入力選択領域が選択された場合には、前記入力項目にデータを入力させるための第二の画面を生成する生成ステップと、前記生成ステップで生成された前記第二の画面を表示させる第二表示実行ステップと、表示されている前記第二の画面にデータが入力された場合には、当該入力されたデータを前記入力項目に転記する転記ステップと、を含むことを特徴とする。
【発明の効果】
【００１３】
本発明によれば、（１）第一の画面に含まれている入力項目の数を計算し、（２）計算された数が所定値以上である又は当該所定値より多い場合には、入力項目をデータの入力が出来ない状態に切り替えると共に、入力項目へのデータの入力を選択させるための入力選択領域を第一の画面に設け、（３）加工された後の第一の画面を表示させ、（４）表示されている第一の画面に設けられた入力選択領域が選択された場合には、入力項目にデータを入力させるための第二の画面を生成し、（５）生成された第二の画面を表示させ、（６）表示されている第二の画面にデータが入力された場合には、当該入力されたデータを入力項目に転記する。これにより、画面に含まれる入力項目が多い場合に生じるレスポンスの遅れを、操作性（使い勝手）を維持したまま防ぐことができるという効果を奏する。
【００１４】
また、本発明によれば、（１）表示部を備えた情報処理装置とネットワークを介して通信可能に接続されており、（２）第一の画面および第二の画面は当該表示部に表示されるものであり、（３）第一の画面および第二の画面を情報処理装置に転送し、（４）ネットワークの通信状態に応じて所定値を変更する。これにより、ネットワーク環境（例えば通信回線の状態（例えば通信速度など）など）に応じて所定値を臨機応変に且つ容易に変更（設定）することができる。具体的には、動作または通信速度が遅い場合には、所定値を、当該遅さの程度に応じて適宜変更（設定）することができる。
【００１５】
また、本発明によれば、第一の画面および第二の画面はＷｅｂ画面であるので、通信性能の低い回線（例えばアナログ回線など）が使われている環境においても、画面に含まれる入力項目が多い場合に生じるレスポンスの遅れを、操作性（使い勝手）を維持したまま防ぐことができるという効果を奏する。
【００１６】
また、本発明によれば、（１）第一の画面は入力項目を行列形式で複数含むものであり、（２）入力選択領域を入力項目の各々の行および／または列ごとに設け、（３）選択された入力選択領域に対応する行および／または列に含まれる入力項目にデータを入力させるための第二の画面を生成する。これにより、行単位および／または列単位でのデータ入力が可能となるので、操作性（使い勝手）を向上させることができるという効果を奏する。
【００１７】
また、本発明によれば、（１）第一の画面は、入力項目の各々の行および／または列に関連するデータを表示するための表示領域を含むものであり、（２）表示領域に表示されているデータの全部または一部が表示された状態の第二の画面を生成する。これにより、ユーザにとってわかり易い形で行単位および／または列単位でのデータ入力が可能となるので、操作性（使い勝手）をさらに向上させることができるという効果を奏する。
【図面の簡単な説明】
【００１８】
【図１】図１は、業務管理システムの構成の一例を示すブロック図である。
【図２】図２は、業務管理システムで実行される処理の一例を示すフローチャートである。
【図３】図３は、台帳入力画面の一例を示す図である。
【図４】図４は、順位入力画面の一例を示す図である。
【図５】図５は、順位入力画面の一例を示す図である。
【発明を実施するための形態】
【００１９】
本発明にかかる画面制御装置、画面制御方法および画面制御プログラムの実施形態を、図面に基づいて詳細に説明する。なお、本発明は、この実施形態により限定されるものではない。
【００２０】
［１．構成］
本発明を包含する本実施形態にかかる業務管理システムの構成の一例について、図１を参照して説明する。業務管理システムは、業務管理装置１００と情報処理装置２００とネットワーク３００とで構成される。業務管理装置１００は、業務管理（例えば不動産管理（例えば不動産担保評価管理など）、融資業務管理、販売管理、財務管理など）を支援するアプリケーション（例えばＷｅｂアプリケーションなど）がインストールされている情報処理装置（例えばＷｅｂサーバなど）である。
【００２１】
業務管理装置１００は、ネットワーク３００（例えばインターネット、イントラネット、ＬＡＮ（Ｌｏｃａｌ  Ａｒｅａ  Ｎｅｔｗｏｒｋ）など）を介して、業務管理を支援するアプリケーションがインストールされている据置型または携帯型の情報処理装置２００（例えば、デスクトップ型のパーソナルコンピュータ、ノート型のパーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型のパーソナルコンピュータなど）と通信可能に接続されている。ネットワーク３００は、例えば、狭帯域回線または広帯域回線を利用したネットワークなどである。
【００２２】
業務管理装置１００は、制御部１０２と通信インターフェース部１０４と記憶部１０６と入出力インターフェース部１０８と、を備える。業務管理装置１００が備える各部は、任意の通信路を介して通信可能に接続されている。
【００２３】
通信インターフェース部１０４は、ルータ等の通信装置および専用線等の有線または無線の通信回線（例えば狭帯域回線または広帯域回線など）を介して、業務管理装置１００をネットワーク３００に通信可能に接続する。通信インターフェース部１０４は、他の装置と通信回線を介してデータを通信する機能を有する。
【００２４】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウスおよびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２５】
記憶部１０６には、各種のデータベース、テーブルおよびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスクおよび光ディスク等を用いることができる。記憶部１０６は、画面データ記憶部１０６ａを含む。
【００２６】
画面データ記憶部１０６ａは、本発明の第一の画面に相当する予め生成されたメイン画面（例えばＷｅｂ画面など）に関するメイン画面データ、および後述する生成部１０２ｄで生成された本発明の第二の画面に相当するサブ画面（例えばＷｅｂ画面など）に関するサブ画面データを格納する。なお、メイン画面は、データ（例えば、数字、文字または記号など）の入力ができる状態の複数の入力項目（例えばテキストボックスなど）と、データの登録を選択させるための登録選択領域（例えば、ユーザが入力装置１１２を操作して選択可能なボタンなど）とを少なくとも含むものである。サブ画面は、入力項目にデータを入力させるための画面である。
【００２７】
ここで、メイン画面は、入力項目を行列形式で複数含み、入力項目の各々の行および／または列に関連するデータを表示するための表示領域を含むものでもよい。なお、表示領域に表示されるデータは、制御部１０２がメイン画面データと関連付けて記憶部１０６に格納しておいたものでもよい。
【００２８】
制御部１０２は、業務管理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、計算部１０２ａと加工部１０２ｂと表示実行部１０２ｃと生成部１０２ｄと転記部１０２ｅと登録部１０２ｆと変更部１０２ｇとを含む。
【００２９】
計算部１０２ａは、画面データ記憶部１０６ａに格納されているメイン画面データに基づいて、メイン画面に含まれている入力項目の数を計算する。なお、メイン画面が入力項目を行列形式で複数含むものである場合には、計算部１０２ａは、入力項目の数として、行数および／または列数を計算してもよい。
【００３０】
加工部１０２ｂは、計算部１０２ａで計算された数（入力項目数）が所定値以上である又は当該所定値より多い場合には、入力項目をデータの入力が出来ない状態に切り替えると共に、入力項目へのデータの入力を選択させるための入力選択領域（例えば、ユーザが選択可能なボタンなど）をメイン画面に設ける。なお、メイン画面が入力項目を行列形式で複数含むものである場合には、所定値は、行数および／または列数に関するものでもよい。また、メイン画面が入力項目を行列形式で複数含むものである場合には、加工部１０２ｂは、入力選択領域を入力項目の各々の行および／または列ごとに設けてもよい。
【００３１】
表示実行部１０２ｃは、本発明の第一表示実行手段および第二表示実行手段を含むものであり、メイン画面およびサブ画面をモニタ１１４または情報処理装置２００のモニタ２１４に表示させる。なお、表示実行部１０２ｃは、メイン画面およびサブ画面を情報処理装置２００に転送してもよい。
【００３２】
生成部１０２ｄは、表示されているメイン画面に設けられた入力選択領域が選択された場合には、サブ画面を生成する。なお、表示実行部１０２ｃが、入力項目の各々の行および／または列ごとに入力選択領域が設けられたメイン画面を表示させた場合には、生成部１０２ｄは、選択された入力選択領域に対応する行および／または列に含まれる入力項目にデータを入力させるためのサブ画面を生成してもよい。また、表示実行部１０２ｃが、表示領域を含むメイン画面を表示させた場合には、生成部１０２ｄは、表示領域に表示されているデータの全部または一部が表示された状態のサブ画面を生成してもよい。
【００３３】
転記部１０２ｅは、表示されているサブ画面にデータが入力された場合には、当該入力されたデータをメイン画面に含まれている入力項目に転記する。換言すると、転記部１０２ｅは、サブ画面に入力されたデータをメイン画面の入力項目に反映させる。
【００３４】
登録部１０２ｆは、表示されているメイン画面に含まれている登録選択領域が選択された場合には、メイン画面に表示されているデータを記憶部１０６に登録する。
【００３５】
変更部１０２ｇは、ネットワーク３００の通信状態（例えば通信回線の通信速度など）に応じて、加工部１０２ｂで用いられる所定値を変更（設定）する。例えば、所定値として大きな値を初期設定しておいた場合、変更部１０２ｇは、ネットワーク３００の通信速度が遅いときに、所定値を小さな値に変更してもよい。
【００３６】
情報処理装置２００は、制御部２０２と通信インターフェース部２０４と記憶部２０６と入出力インターフェース部２０８と、を備える。情報処理装置２００が備える各部は、任意の通信路を介して通信可能に接続されている。
【００３７】
通信インターフェース部２０４は、ルータ等の通信装置および専用線等の有線または無線の通信回線（例えば狭帯域回線または広帯域回線など）を介して、情報処理装置２００をネットワーク３００に通信可能に接続する。通信インターフェース部２０４は、他の装置と通信回線を介してデータを通信する機能を有する。
【００３８】
入出力インターフェース部２０８には、入力装置２１２および出力装置２１４が接続されている。出力装置２１４には、モニタ（家庭用テレビを含む）の他、スピーカやプリンタを用いることができる。入力装置２１２には、キーボード、マウスおよびマイクの他、マウスと協働してポインティングデバイス機能を実現するモニタを用いることができる。なお、以下では、出力装置２１４をモニタ２１４とし、入力装置２１２をキーボード２１２またはマウス２１２として記載する場合がある。
【００３９】
記憶部２０６には、各種のデータベース、テーブルおよびファイルなどが格納される。記憶部２０６には、ＯＳと協働してＣＰＵに命令を与えて各種処理を行うためのコンピュータプログラムが記録される。記憶部２０６として、例えば、ＲＡＭ・ＲＯＭ等のメモリ装置、ハードディスクのような固定ディスク装置、フレキシブルディスクおよび光ディスク等を用いることができる。記憶部２０６は、画面データ記憶部２０６ａを含む。
【００４０】
画面データ記憶部２０６ａは、業務管理装置１００から転送されたメイン画面データおよびサブ画面データを格納する。
【００４１】
制御部２０２は、情報処理装置２００を統括的に制御するＣＰＵ等である。制御部２０２は、ＯＳ等の制御プログラム・各種の処理手順等を規定したプログラム・所要データなどを格納するための内部メモリを有し、格納されているこれらのプログラムに基づいて種々の情報処理を実行する。制御部２０２は、機能概念的に、表示実行部２０２ａと指示転送部２０２ｂとを含む。
【００４２】
表示実行部２０２ａは、業務管理装置１００から転送されたメイン画面データおよびサブ画面データを受信し、受信したメイン画面データおよびサブ画面データに基づいてメイン画面およびサブ画面をモニタ２１４に表示させる。指示転送部２０２ｂは、メイン画面およびサブ画面を介して行なわれたユーザからの指示の内容に関する情報を業務管理装置１００に転送する。
【００４３】
［２．処理］
上述した構成の業務管理システムで実行される処理の一例について、図２から５を参照して説明する。図２は、業務管理システムで実行される処理の一例を示すフローチャートである。
【００４４】
ここで、本説明では、不動産担保評価管理を支援するＷｅｂアプリケーション（不動産担保評価管理アプリ）が業務管理装置１００および情報処理装置２００に予めインストールされていることを前提とする。また、本説明では、画面データ記憶部１０６ａには、不動産担保評価管理アプリで提供されるオリジナル（初期設定）の台帳入力画面（Ｗｅｂ画面）に関する台帳入力画面データ（台帳入力画面に表示させるデータを含む）が予め格納されていることを前提とする。また、本説明では、加工部１０２ｂで用いられる所定値を変更部１０２ｇがネットワーク３００の通信速度に応じて設定した後の状態であることを前提とする。なお、オリジナルの台帳入力画面は、台帳修正入力の作業目的に応じた画面であり、台帳修正入力の作業目的に応じた修正可能モードで起動される画面である。オリジナルの台帳入力画面は、順位に関する数値の入力ができる状態のテキストボックスを行列形式で複数含み、またテキストボックスの各々の行および列に関連するデータを表示するための表示領域と数値の登録を選択させるための登録ボタンとを含む画面である。ここで、テキストボックスに入力される情報として、順位に関する数値を一例として挙げたが、テキストボックスに入力される情報はこれに限らず例えば文字、記号または数字など何でもよい。
【００４５】
まず、計算部１０２ａは、画面データ記憶部１０６ａに予め格納されている台帳入力画面データに基づいて、オリジナルの台帳入力画面に含まれるテキストボックスの数（具体的には、或る行および／または或る列に含まれるテキストボックスの数（換言すると行数および／または列数））を計算する（ステップＳＡ１）。
【００４６】
つぎに、ステップＳＡ１で計算されたテキストボックスの数が変更部１０２ｇによって予め設定された所定値以上である又は当該所定値より多い場合（ステップＳＡ２：Ｙｅｓ）には、加工部１０２ｂは、テキストボックスを数値の入力が出来ない状態（具体的には参照専用モード）に切り替えると共に、テキストボックスへの数値の入力を選択させるための入力ボタンを、オリジナルの台帳入力画面に設ける（ステップＳＡ３）。ステップＳＡ３の処理により、オリジナルの台帳入力画面（オリジナルの台帳入力画面データ）は加工された。
【００４７】
つぎに、表示実行部１０２ｃは、ステップＳＡ３で加工された後の台帳入力画面データを情報処理装置２００に転送し、表示実行部２０２ａは、転送された台帳入力画面データに基づいて、加工後の台帳入力画面をモニタ２１４に表示させる（ステップＳＡ４）。ここで、加工後の台帳入力画面の一例を、図３を参照して説明する。台帳入力画面ＭＡは、主に、領域ＭＡ１と登録ボタンＭＡ２とを含む。領域ＭＡ１は、順位を表す数値を入力するためのテキストボックスを行列形式で複数含む領域ＭＡ１１と、テキストボックスの各々の行ごとに入力ボタンが設けられている領域ＭＡ１２と、テキストボックスの各々の列に関連するデータ（例えばタイトル“Ａ”，“Ｂ”，・・・，“Ｈ”など）を表示するための表示領域ＭＡ１３と、テキストボックスの各々の列ごとに入力ボタンが設けられている領域ＭＡ１４と、テキストボックスの各々の行に関連するデータ（例えばタイトル“ａ”，“ｂ”，・・・，“ｇ”など）を表示するための表示領域ＭＡ１５と、を含む。
【００４８】
ここで、ステップＳＡ１で計算されたテキストボックスの数が所定値より少ない又は当該所定値以下である場合（ステップＳＡ２：Ｎｏ）には、表示実行部１０２ｃは、オリジナルの台帳入力画面データを情報処理装置２００に転送し、表示実行部２０２ａは、転送されたオリジナルの台帳入力画面データに基づいて、オリジナルの台帳入力画面をモニタ２１４に表示させる（ステップＳＡ４）。ここで、オリジナルの台帳入力画面は、図３に示す台帳入力画面ＭＡにおいて、領域ＭＡ１１が数値の入力ができる状態のテキストボックスを含むものであり且つ領域ＭＡ１２および領域ＭＡ１４が入力ボタンが設けられていない状態のものである画面である。
【００４９】
なお、以下の説明は、図３に示す台帳入力画面ＭＡがモニタ２１４に表示されていることを前提とする。
【００５０】
ユーザは、マウス２１２を操作して、所望の行または列に対応する入力ボタンを押下する。
【００５１】
入力ボタンが押下された場合（ステップＳＡ５：Ｙｅｓ）には、指示転送部２０２ｂは、押下された入力ボタンの位置に関する情報（例えば行番号または列番号など）を業務管理装置１００に転送し、生成部１０２ｄは、転送された情報に基づいて、順位を表す数値を入力させるための順位入力画面に関する順位入力画面データを生成し、生成した順位入力画面データを画面データ記憶部１０６ａに格納する（ステップＳＡ６）。なお、順位入力画面データは、台帳入力画面ＭＡの領域ＭＡ１１に既に表示されている数値と、台帳入力画面ＭＡの領域ＭＡ１３または領域ＭＡ１５に既に表示されているデータの全部または一部とを含む。
【００５２】
つぎに、表示実行部１０２ｃは、ステップＳＡ６で生成された順位入力画面データを情報処理装置２００に転送し、表示実行部２０２ａは、転送された順位入力画面データに基づいて、順位入力画面をモニタ２１４に表示させる（ステップＳＡ７）。ここで、順位入力画面の一例を、図４および５を参照して説明する。図４に示す順位入力画面ＭＢは、台帳入力画面ＭＡの領域ＭＡ１２に設けられている入力ボタンのうちタイトル“ｃ”の行に設けられているものが押下された場合に表示されるものであり、図５に示す順位入力画面ＭＣは、台帳入力画面ＭＡの領域ＭＡ１４に設けられている入力ボタンのうちタイトル“Ｅ”の列に設けられているものが押下された場合に表示されるものである。順位入力画面ＭＢは、押下された入力ボタンに対応する行に含まれるテキストボックスに順位を表す数値を入力させるための領域ＭＢ１（数値の入力ができる状態の複数のテキストボックスを含む）と、領域ＭＡ１３に既に表示されているデータ（例えばタイトル“Ａ”，“Ｂ”，・・・，“Ｈ”など）の全部または一部を表示するための表示領域ＭＢ２と、決定ボタンＭＢ３と、領域ＭＡ１５に既に表示されているデータのうち押下された入力ボタンに対応するもの（例えばタイトル“ｃ”など）を表示するための表示領域ＭＢ４と、を含む。順位入力画面ＭＣは、押下された入力ボタンに対応する列に含まれるテキストボックスに順位を表す数値を入力させるための領域ＭＣ１（数値の入力ができる状態の複数のテキストボックスを含む）と、領域ＭＡ１５に既に表示されているデータ（例えばタイトル“ａ”，“ｂ”，・・・，“ｇ”など）の全部または一部を表示するための表示領域ＭＣ２と、決定ボタンＭＣ３と、領域ＭＡ１３に既に表示されているデータのうち押下された入力ボタンに対応するもの（例えばタイトル“Ｅ”など）を表示するための表示領域ＭＣ４と、を含む。
【００５３】
ユーザは、マウス２１２およびキーボード２１２を操作して各々のテキストボックスに所望の数値を入力し、マウス２１２を操作して決定ボタンＭＢ３または決定ボタンＭＣ３を押下する。
【００５４】
決定ボタンＭＢ３が押下された場合（ステップＳＡ８：Ｙｅｓ）には、転記部１０２ｅは、領域ＭＢ１に表示されている数値を、領域ＭＡ１１内にある、押下された入力ボタンに対応する行に含まれるテキストボックスに転記する（反映させる）（ステップＳＡ９）。また、決定ボタンＭＣ３が押下された場合（ステップＳＡ８：Ｙｅｓ）には、転記部１０２ｅは、領域ＭＣ１に表示されている数値を、領域ＭＡ１１内にある、押下された入力ボタンに対応する列に含まれるテキストボックスに転記する（反映させる）（ステップＳＡ９）。
【００５５】
ユーザは、台帳入力画面ＭＡのテキストボックスに反映された数値を確認し、テキストボックスに表示されている数値を登録したい場合にはマウス２１２を操作して登録ボタンＭＡ２を押下する。
【００５６】
登録ボタンＭＡ２が押下された場合（ステップＳＡ１０：Ｙｅｓ）には、指示転送部２０２ｂは、台帳入力画面ＭＡのテキストボックスに表示されている数値を業務管理装置１００に転送し、登録部１０２ｆは、転送された数値を記憶部１０６に登録する（ステップＳＡ１１）。
【００５７】
以上、業務管理装置１００で実行される処理の一例を終了する。ここで、オリジナルの台帳入力画面は、台帳修正入力の作業目的以外に、台帳新規入力、本台帳確認および作業台帳確認の作業目的にも応じたものである。なお、作業目的が台帳新規入力である場合には、オリジナルの台帳入力画面は新規登録モードで起動される。また、作業目的が本台帳確認または作業台帳確認である場合には、オリジナルの台帳入力画面は参照専用モードで起動される。
【００５８】
また、不動産担保評価管理アプリでは、上述した台帳入力画面以外に、台帳決裁・削除の作業目的に応じた台帳決裁・削除画面と、物件新規入力、物件修正入力、物件再評価および物件内容確認の作業目的に応じた物件入力画面と、ファイル添付の作業目的に応じた書類登録画面と、物件決裁・削除の作業目的に応じた物件決裁・削除画面と、実行情報入力の作業目的に応じた実行情報入力画面となどを提供することが可能であるが、これらの画面に対しても同様に本処理を適用することができる。
【００５９】
また、不動産担保評価管理アプリでは、作業目的に応じたモードで画面を起動させるが、当該アプリには、台帳修正入力、物件修正入力、ファイル添付、台帳決裁・削除、物件決裁・削除および実行情報入力の作業目的に応じた修正可能モードと、台帳新規入力および物件新規入力の作業目的に応じた新規登録モードと、本台帳確認、作業台帳確認および物件内容確認の作業目的に応じた参照専用モードと、物件再評価の作業目的に応じた再評価モードとが用意されている。
【００６０】
［本実施形態のまとめ、および他の実施形態］
以上、本実施形態によれば、（１）業務管理装置１００が、オリジナルの台帳入力画面に含まれている、順位に関する数値を入力するためのテキストボックスの数を計算し、（２）業務管理装置１００が、計算された数が所定値以上である又は当該所定値より多い場合には、テキストボックスを数値の入力が出来ない状態に切り替えると共に、テキストボックスへの数値の入力を選択させるための入力ボタンをオリジナルの台帳入力画面に設け、（３）業務管理装置１００が、加工された後の台帳入力画面ＭＡを情報処理装置２００に転送し、（４）情報処理装置２００が、転送された台帳入力画面ＭＡをモニタ２１４に表示させ、（５）モニタ２１４に表示されている台帳入力画面ＭＡに設けられた入力ボタンが選択された場合には、情報処理装置２００が、選択された入力ボタンの位置に関する情報を業務管理装置１００に転送し、（６）業務管理装置１００が、転送された情報に基づいて、テキストボックスに数値を入力させるための順位入力画面ＭＢまたは順位入力画面ＭＣを生成し、（７）業務管理装置１００が、生成された順位入力画面ＭＢまたは順位入力画面ＭＣを情報処理装置２００に転送し、（８）情報処理装置２００が、転送された順位入力画面ＭＢまたは順位入力画面ＭＣをモニタ２１４に表示させ、（９）モニタ２１４に表示されている順位入力画面ＭＢまたは順位入力画面ＭＣに数値が入力された場合には、情報処理装置２００が、当該入力された数値を台帳入力画面ＭＡのテキストボックスに転記する。これにより、画面に含まれるテキストボックスが多い場合に生じるレスポンスの遅れを、操作性（使い勝手）を維持したまま防ぐことができる。
【００６１】
また、本実施形態によれば、業務管理装置１００が、ネットワーク３００の通信状態に応じて、加工部１０２ｂで用いられる所定値を変更（設定）する。これにより、ネットワーク環境（例えば通信回線の状態（例えば通信速度など）など）に応じて所定値を臨機応変に且つ容易に変更（設定）することができる。具体的には、動作または通信速度が遅い場合には、所定値を、当該遅さの程度に応じて適宜変更（設定）することができる。
【００６２】
また、本実施形態によれば、台帳入力画面ＭＡ、順位入力画面ＭＢおよび順位入力画面ＭＣはＷｅｂ画面であるので、通信性能の低い回線（例えばアナログ回線など）が使われている環境においても、画面に含まれるテキストボックスが多い場合に生じるレスポンスの遅れを、操作性（使い勝手）を維持したまま防ぐことができる。
【００６３】
また、本実施形態によれば、（１）台帳入力画面ＭＡの領域ＭＡ１１はテキストボックスを行列形式で複数含むものであり、（２）領域ＭＡ１２に、入力ボタンをテキストボックスの各々の行ごとに設け、領域ＭＡ１４に、入力ボタンをテキストボックスの各々の列ごとに設け、（３）選択された入力ボタンに対応する行に含まれるテキストボックスに数値を入力させるための順位入力画面ＭＢ、または選択された入力ボタンに対応する列に含まれるテキストボックスに数値を入力させるための順位入力画面ＭＣを生成する。これにより、行単位および列単位での数値入力が可能となるので、操作性（使い勝手）を向上させることができる。
【００６４】
また、本実施形態によれば、（１）台帳入力画面ＭＡは、テキストボックスの各々の列に関連するデータを表示するための表示領域ＭＡ１３と、テキストボックスの各々の行に関連するデータを表示するための表示領域ＭＡ１５とを含むものであり、（２）表示領域ＭＡ１３および表示領域ＭＡ１５に表示されているデータの全部または一部が表示された状態の順位入力画面ＭＢまたは順位入力画面ＭＣを生成する。これにより、ユーザにとってわかり易い形で行単位および列単位での数値入力が可能となるので、操作性（使い勝手）をさらに向上させることができる。
【００６５】
また、これまで本発明の実施形態について説明したが、本発明は、上述した実施形態以外にも、特許請求の範囲に記載した技術的思想の範囲内において種々の異なる実施形態にて実施されてよいものである。
【００６６】
例えば、上述した実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００６７】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００６８】
また、業務管理装置１００および情報処理装置２００に関して、図示の各構成要素は機能概念的なものであり、必ずしも物理的に図示の如く構成されていることを要しない。
【００６９】
例えば、業務管理装置１００および情報処理装置２００が備える処理機能、特に制御部１０２および制御部２０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、情報処理装置に本発明にかかる画面制御方法を実行させるためのプログラム化された命令を含む一時的でないコンピュータ読み取り可能な記録媒体に記録されており、必要に応じて業務管理装置１００および情報処理装置２００に機械的に読み取られる。すなわち、ＲＯＭまたはＨＤＤ（Ｈａｒｄ  Ｄｉｓｋ  Ｄｒｉｖｅ）などの記憶部１０６および記憶部２０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７０】
また、このコンピュータプログラムは、業務管理装置１００および情報処理装置２００に対して任意のネットワークを介して接続されたアプリケーションプログラムサーバに記憶されていてもよく、必要に応じてその全部または一部をダウンロードすることも可能である。
【００７１】
また、本発明にかかる画面制御プログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ  Ｄｉｓｃ等の任意の「可搬用の物理媒体」を含むものとする。
【００７２】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００７３】
記憶部１０６および記憶部２０６に格納される各種のデータベース等（画面データ記憶部１０６ａ、画面データ記憶部２０６ａ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００７４】
また、業務管理装置１００および情報処理装置２００は、既知のパーソナルコンピュータまたはワークステーション等の情報処理装置として構成してもよく、また、任意の周辺装置が接続された当該情報処理装置として構成してもよい。また、業務管理装置１００および情報処理装置２００は、当該情報処理装置に本発明の画面制御方法を実現させるソフトウェア（プログラムまたはデータ等を含む）を実装することにより実現してもよい。
【００７５】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００７６】
以上のように、本発明にかかる画面制御装置、画面制御方法および画面制御プログラムは、特に、業務管理システム（業務管理アプリケーション）で提供される画面の制御等に有用である。
【符号の説明】
【００７７】
１００  業務管理装置
１０２  制御部
１０２ａ  計算部
１０２ｂ  加工部
１０２ｃ  表示実行部
１０２ｄ  生成部
１０２ｅ  転記部
１０２ｆ  登録部
１０２ｇ  変更部
１０４  通信インターフェース部
１０６  記憶部
１０６ａ  画面データ記憶部
１０８  入出力インターフェース部
１１２  入力装置
１１４  出力装置
２００  情報処理装置
２０２  制御部
２０２ａ  表示実行部
２０２ｂ  指示転送部
２０４  通信インターフェース部
２０６  記憶部
２０６ａ  画面データ記憶部
２０８  入出力インターフェース部
２１２  入力装置
２１４  出力装置
３００  ネットワーク
【図１】
0006001891.tif 000002
【図２】
0006001891.tif 000003
【図３】
0006001891.tif 000004
【図４】
0006001891.tif 000005
【図５】
0006001891.tif 000006